(57)【要約】【課題】データを捕捉、拡張、および送信するシステムが望まれている。【解決手段】ネットワーク化されたビデオブリッジ装置は、複数のデータソースから少なくとも１つの生画像データストリームを受信するデータ入力モジュールを含む。装置は、生画像データを記録して生画像データを一時的に記憶する記憶モジュールをさらに含む。表示画面は生画像データを表示する。装置は、ネットワーク化されたビデオブリッジ装置のユーザからユーザ入力データを受信するユーザインターフェースモジュールも含む。装置はまた、ユーザ入力データに基づいて生画像データを選択的に拡張する、制御モジュールも含む。制御モジュールはまた、拡張画像データを遠隔画像データ記憶装置に伝送もする。【選択図】図１
2014033435.tif 000002
【特許請求の範囲】
【請求項１】
ネットワーク化されたビデオブリッジ装置であって、
複数のデータソースから少なくとも１つの生画像データストリームを受信するデータ入力モジュールと、
生画像データを記録して生画像データを一時的に記憶する記憶モジュールと、
生画像データを表示する表示画面と、
ネットワーク化されたビデオブリッジ装置のユーザからユーザ入力データを受信するユーザインターフェースモジュールと、
ユーザ入力データに基づいて生画像データを選択的に拡張し、拡張画像データを遠隔画像データ記憶装置に伝送する、制御モジュールと、を含むネットワーク化されたビデオブリッジ装置。
【請求項２】
ネットワーク化されたビデオブリッジ装置の位置を特定する全地球測位システム（ＧＰＳ）装置をさらに含む、請求項１に記載のネットワーク化されたビデオブリッジ装置。
【請求項３】
制御モジュールが位置に基づいて生画像データを選択的に拡張する、請求項２に記載のネットワーク化されたビデオブリッジ装置。
【請求項４】
複数の遠隔配置されたネットワークシステムと選択的に通信するネットワークインターフェース装置をさらに含む、請求項１に記載のネットワーク化されたビデオブリッジ装置。
【請求項５】
ネットワークインターフェース装置がデータネットワークを通じて通信する、請求項４に記載のネットワーク化されたビデオブリッジ装置。
【請求項６】
リムーバブル記憶媒体モジュールをさらに含み、制御モジュールはリムーバブル記憶媒体モジュールに拡張画像データを伝送する、請求項１に記載のネットワーク化されたビデオブリッジ装置。
【請求項７】
記録オン／オフスイッチおよびデータ送信オン／オフスイッチをさらに含む、請求項１に記載のネットワーク化されたビデオブリッジ装置。
【請求項８】
記録オン／オフスイッチが、記録オン／オフスイッチが第一位置まで作動したときに記録信号を生成する、請求項７に記載のネットワーク化されたビデオブリッジ装置。
【請求項９】
制御モジュールが、記録信号に基づいて生画像データを記録するように記憶モジュールに選択的に命令する、請求項８に記載のネットワーク化されたビデオブリッジ装置。
【請求項１０】
データ送信オン／オフスイッチが、データオン／オフスイッチが第一位置まで作動したときに送信信号を生成する、請求項７に記載のネットワーク化されたビデオブリッジ装置。
【請求項１１】
制御モジュールが、送信信号に基づいて拡張画像データを送信するようにネットワークインターフェースモジュールに選択的に命令する、請求項１０に記載のネットワーク化されたビデオブリッジ装置。
【請求項１２】
ネットワーク化されたビデオブリッジ装置を利用して送信画像データを捕捉する方法であって、
複数のデータソースから少なくとも１つの生画像データストリームを受信するステップと、
生画像データを記録して、生画像データを一時的に記憶するステップと、
生画像データを表示するステップと、
ネットワーク化されたビデオブリッジ装置のユーザからユーザ入力データを受信するステップと、
ユーザ入力データに基づいて生画像データを選択的に拡張し、拡張画像データを遠隔画像データ記憶装置に伝送するステップと、を含む方法。
【請求項１３】
ネットワーク化されたビデオブリッジ装置の位置を特定するステップをさらに含む、請求項１２に記載の方法。
【請求項１４】
位置に基づいて生画像データを選択的に拡張するステップをさらに含む、請求項１３に記載の方法。
【請求項１５】
複数の遠隔配置されたネットワークシステムと選択的に通信するステップをさらに含む、請求項１２に記載の方法。
【請求項１６】
データネットワークを通じて通信するステップをさらに含む、請求項１５に記載の方法。
【請求項１７】
記録信号を生成するステップをさらに含む、請求項１２に記載の方法。
【請求項１８】
記録信号に基づいて生画像データを選択的に記録するステップをさらに含む、請求項１７に記載の方法。
【請求項１９】
送信信号を生成するステップをさらに含む、請求項１２に記載の方法。
【請求項２０】
送信信号に基づいて拡張画像データを選択的に送信するステップをさらに含む、請求項１９に記載の方法。
【請求項２１】
ネットワーク化されたビデオブリッジ装置であって、
少なくとも１つのデータソースから少なくとも１つの生画像データストリームを受信するデータ入力モジュールと、
生画像データを選択的に記録して、ユーザ入力に応えて生画像データを一時的に記憶する、記憶モジュールと、
ネットワーク化されたビデオブリッジ装置のユーザからユーザ入力データを受信するユーザインターフェースモジュールと、
ネットワーク化されたビデオブリッジ装置の位置を特定する全地球測位システム（ＧＰＳ）装置と、
ユーザ入力データに基づいて生画像データを選択的に拡張し、拡張画像データを遠隔画像データ記憶装置に伝送する、制御モジュールと、
複数の遠隔配置されたネットワークシステムと選択的に通信するネットワークインターフェース装置と、を含むネットワーク化されたビデオブリッジ装置。
【請求項２２】
制御モジュールが位置に基づいて生画像データを選択的に拡張する、請求項２１に記載のネットワーク化されたビデオブリッジ装置。
【発明の詳細な説明】
【技術分野】
【０００１】
本願は、２０１２年７月３１日出願の米国仮出願第６１／６７８，０９３号明細書、および２０１２年７月３１日出願の米国仮出願第６１／６７７，９２０号明細書の優先権を主張する。上記出願の各々の全開示内容は、参照により本願に組み込まれる。
【０００２】
本開示は主に、画像データを捕捉、拡張、送信、表示、および記憶するためのシステムに関する。より具体的には、本開示はこのようなシステム内で使用するためのネットワーク化されたビデオブリッジ装置に関する。
【背景技術】
【０００３】
配管工、電気技師、冷暖房空調設備専門家、および家屋調査士など、多くの熟練した産業およびサービス請負業者は、たとえば可能性のある問題の探査、問題の診断、および作業現場における技術者の作業の確認および検証など、様々な目的のために作業現場での評価診断および検査を行う。技術者は、彼らの所見をしばしばメモ、音声注釈、作業現場で撮影された写真および／または動画を用いて文書化する。このような文書化は、診断、協調的問題解決、顧客への検査結果報告、予算見積もり、および／または特定の作業現場における将来のサービスまたは検査のための準備として、有用であろう。
【発明の概要】
【発明が解決しようとする課題】
【０００４】
状況により、作業現場においてメモ、写真、動画、またはその他のデータを捕捉する技術者は、このデータを収集、整理して、遠隔地にあるネットワーク、コンピュータ、または別のユーザに送信する能力から恩恵を受けるだろう。したがって、このようなデータを捕捉、拡張、および送信するシステムが望まれている。
【０００５】
本章は、必ずしも先行技術であるとは限らない、本開示に関する背景情報を提供するものである。
【課題を解決するための手段】
【０００６】
ネットワーク化されたビデオブリッジ装置は、複数のデータソースから少なくとも１つの生画像データストリームを受信する、データ入力モジュールを含む。装置は、生画像データを記録して生画像データを一時的に記憶する、記憶モジュールをさらに含む。表示画面は、生画像データを表示する。装置は、ネットワーク化されたビデオブリッジ装置のユーザからユーザ入力データを受信する、ユーザインターフェースモジュールも含む。装置はまた、ユーザ入力データに基づいて生画像データを選択的に拡張する、制御モジュールも含む。制御モジュールはまた、拡張画像データを遠隔画像データ記憶装置に伝送もする。
【０００７】
別の特徴において、方法は、複数のデータソースから少なくとも１つの生画像データストリームを受信するステップを含む。方法は、生画像データを記録して、生画像データを一時的に記憶するステップも含む。方法は、生画像データを表示するステップをさらに含む。方法はまた、ネットワーク化されたビデオブリッジ装置のユーザからユーザ入力データを受信して、ユーザ入力データに基づいて生画像データを選択的に拡張するステップも含む。方法は、拡張画像データを遠隔画像データ記憶装置に伝送するステップも含む。
【０００８】
本開示のさらなる適用領域は、以下に提供される詳細な説明より明らかになるだろう。詳細な説明および具体例は説明目的のみを意図しており、本開示の範囲を限定するように意図されるものではないことは、理解されるべきである。
【０００９】
以下の図面は、すべての可能な実装ではなく選択された実施形態のみを図解することを目的としており、本開示の範囲を限定するように意図されるものではない。
【図面の簡単な説明】
【００１０】
【図１】本開示のネットワーク化されたビデオブリッジ装置を組み込んだ、画像データを捕捉、拡張、および送信するためのシステムを示す模式的ブロック図である。
【図２】本開示のネットワーク化されたビデオブリッジ装置の例示的構成を示す図である。
【図３】図２のネットワーク化されたビデオブリッジ装置の模式的ブロック図である。
【図４】本開示のネットワーク化されたビデオブリッジ装置の代替模式的ブロック図である。
【図５】本開示の原理による画像データ捕捉方法を示すフロー図である。
【発明を実施するための形態】
【００１１】
以下、添付図面を参照して、例示的実施形態がより完全に記載される。
【００１２】
ここで図面を参照すると、本開示のネットワーク化されたビデオブリッジ装置を組み込んだ、画像データを捕捉、拡張、および送信するためのシステムが、図１に模式的に示されている。システムは、主に画像データ捕捉装置１０４、ネットワーク化されたビデオブリッジ装置１０８、および遠隔画像データ記憶装置１１２を含むように示されている。一般的に、画像データ捕捉装置１０４は、たとえば作業現場での活動の検査中などに、生画像データを収集する。生画像データはその後、画像データ捕捉装置１０４によってネットワーク化されたビデオブリッジ装置１０８にリアルタイムで伝送される。
【００１３】
ネットワーク化されたビデオブリッジ装置１０８において、生画像データは、ネットワーク化されたビデオブリッジ装置１０８の内部の記憶モジュールにバッファリングまたは一時的に記憶される。加えて、ネットワーク化されたビデオブリッジ装置１０８において、画像データは視聴され、および／またはユーザによって入力または提供される補足データで拡張される。引き続き、ネットワーク化されたビデオブリッジ装置１０８は拡張された画像データを遠隔画像データ記憶装置１１２に送信（たとえばアップロード）することができ、ここで画像データはさらなる使用および／または操作を受けてもよい。拡張は、メモ、注釈、強調、説明、見解などを含むと理解される。
【００１４】
さらに、画像データは、動画および静止写真データのみならず、場所または位置データ、タイムスタンプデータ、顧客連絡先データ、請求データ、作業依頼データ、作業現場データ、診断データ、測定データなども包含することができ、これらのすべては画像データ捕捉装置１０４によって生成され、またはこれに対して供給されてもよい。
【００１５】
画像データ捕捉装置１０４は、当該技術分野において周知の検査および／または位置特定装置をいくつでも含むことができる。例示的な画像データ捕捉装置は、オハイオ州エリリア（Ｅｌｙｒｉａ）のＲｉｄｇｅ  Ｔｏｏｌ  Ｃｏｍｐａｎｙより入手可能なＳｅｅＳｎａｋｅ（Ｒ）製品ラインのいくつかの装置のような、配管ビデオ検査装置を含む。その他の例示的な画像データ捕捉装置は、Ｒｉｄｇｅ  Ｔｏｏｌ  ＣｏｍｐａｎｙのＳｅｅＳｎａｋｅ（Ｒ）ｍｉｃｒｏ（ＴＭ）検査カメラのような小旋回区ビデオ検査装置、および地下水平掘削抗検査装置を含む。別の実施形態において、画像データ捕捉装置１０４は、ＷｉＦｉ対応カメラ、インターネット接続を経由するビデオ会議ハードウェア、またはＧｏｏｇｌｅ  Ｇｌａｓｓなどの、動画送信装置を含んでもよい。画像データ捕捉装置１０４はまた、モバイルホットスポットなどのデータ送信装置も含んでよい。たとえば、画像データ捕捉装置１０４は、ＷｉＦｉ対応カメラに結合されたＭｉＦｉ装置、またはその他の適切な画像捕捉装置であってもよい。
【００１６】
画像データ捕捉装置１０４は、作業現場でのビデオ検査中など、作業環境において静止画および動画の両方を含む（画像データと総称される）、たとえばデジタル画像を捕捉するための電荷結合素子（ＣＣＤ）カメラを含むことができる。標準ビデオコネクタを有する通信ケーブル等の出力装置は、画像データ捕捉装置１０４とネットワーク化されたビデオブリッジ装置１０８を接続して画像データ捕捉装置１０４からネットワーク化されたビデオブリッジ装置１０８に画像データを送信する手段を提供する。あるいは、画像データ捕捉装置１０４は、Ｂｌｕｅｔｏｏｔｈ（登録商標）またはＷｉＦｉなどを通じて無線で、ネットワーク化されたビデオブリッジ装置１０８に画像データを伝送することができる。
【００１７】
遠隔画像データ記憶装置１１２は、インターネット上でホストされたウェブサイトを含むことができる。ウェブサイトは、ネットワーク化されたビデオブリッジ装置１０８から伝送（たとえばアップロード）された画像データを、受信および記憶することができる。加えて、ウェブサイトは、ネットワーク化されたビデオブリッジ装置１０８と遠隔通信するためのユーザインターフェースを提供することができる。この点に関して、遠隔画像データ記憶装置１１２のユーザインターフェースは、その機能または動作を遠隔操作するためにネットワーク化されたビデオブリッジ装置１０８にコマンドを提供し、またはネットワーク化されたビデオブリッジ装置１０８を操作しているユーザに命令を与える。さらに、ウェブサイトは、視聴、編集、整理、レポート作成、分析、画像処理、および／またはその他のさらなる画像データ処理を可能にする、ソフトウェアアプリケーションを含むことができる。加えて、遠隔画像データ記憶装置１１２は、Ｇｏｏｇｌｅ  Ｇｌａｓｓなどの動画視聴ハードウェアと通信してもよい。
【００１８】
ここで図２から図５に戻ると、本開示のネットワーク化されたビデオブリッジ装置２００のいくつかの例示的構成が示されている。特に図２を参照すると、本開示のネットワーク化されたビデオブリッジ装置２００の例示的構成が示されており、図２のネットワーク化されたビデオブリッジ装置２００の模式的ブロック図が図３に示されている。ネットワーク化されたビデオブリッジ装置２００は、装置２００の構成モジュールを収容する筐体２０４を含む。ユーザアクセス可能な電源スイッチ２０８は、ユーザが装置２００をオンおよびオフに切り替えることを可能にする。
【００１９】
画像データ捕捉装置１０４からの出力装置との接続を可能にする、いくつかのビデオ入力コネクタ２１２および音声入力コネクタ２１４もまたアクセス可能である。画像データはこれによってネットワーク化されたビデオブリッジ装置２００に伝送され、ネットワーク化されたビデオブリッジ装置２００内の画像データの記録をオンとオフとの間で切り替えるために、ユーザ作動スイッチ２１６が提供される。たとえばネットワーク接続性および電力など、装置２００の状態を表す標識２２４と同様に、ＵＳＢ入力接続部２２０もまた提供される。ネットワーク化されたビデオブリッジ装置２００はまた、ネットワーク化されたビデオブリッジ装置２００内の画像データを視聴するための、統合表示モジュール２２８も含む。
【００２０】
特に図３を参照すると、図２のネットワーク化されたビデオブリッジ装置２００の模式的ブロック図が示されている。ネットワーク化されたビデオブリッジ装置２００は一般的に、制御モジュール３０４（たとえば、中央演算処理装置およびメモリ）および入出力（Ｉ／Ｏ）モジュール３０８を含む。データ記憶モジュール３１２、ネットワークインターフェースモジュール３１６、全地球測位システム（ＧＰＳ）モジュール３２０、データ入力モジュール３２４、およびリムーバブル記憶媒体インターフェースモジュール３２８もまた、ネットワーク化されたビデオブリッジ装置２００の構成モジュールを形成している。
【００２１】
制御モジュール３０４は、マイクロプロセッサなどの中央演算処理装置（ＣＰＵ）、およびメモリを含むことができ、メモリは揮発性（たとえばＲＡＭ）および不揮発性（たとえばＲＯＭ、ＥＥＰＲＯＭ）のメモリタイプを含んでもよい。制御モジュール３０４は、ネットワーク化されたビデオブリッジ装置２００へのユニバーサルユーザインターフェース（ＵＩ）３３２を含む、オペレーティングシステムを含むことができる。ＵＩ３３２は、ネットワーク化されたビデオブリッジ装置２００のための動作特徴およびプロトコルを確立および管理することができる。Ｉ／Ｏモジュール３０８は、制御モジュール３０４が様々な構成モジュールと通信することができ、構成モジュールが必要に応じて相互に通信することができる、データバスとして機能する。
【００２２】
データ記憶モジュール３１２は、画像データ捕捉装置１０４からネットワーク化されたビデオブリッジ装置２００に提供される画像データを記憶および読み出しするための、記憶装置を含むことができる。記憶モジュール３１２は、ハードディスクドライブ（ＨＤＤ）、ソリッドステートドライブ（ＳＳＤ）、またはＨＤＤおよびＳＳＤの両方の特徴を組み合わせたハイブリッドドライブを含むことができる。場合により、ネットワーク化されたビデオブリッジ装置２００内の画像データの記憶は、ユーザによって制御されることが可能である。
【００２３】
たとえば、画像データがネットワーク化されたビデオブリッジ装置２００にリアルタイムで受信されているとき、ユーザは画像データがデータ記憶モジュール３１２に記憶されるか否かについて、選択的にオンおよびオフに切り替えることができる。これにより選択的にユーザは、記録される（たとえばデータ記憶モジュールに記憶される）画像データの内容を制御して、必ずしも記録を保持する必要のない、無関係または余り重要ではない画像データを、最小化または削除できるようになる。これにより、ユーザはデータ記憶モジュール３１２内の利用可能な容量を最大化することができる。
【００２４】
ネットワークインターフェースモジュール３１６は、２．４、３．６、および５ＧＨｚ周波数帯域（たとえばＷｉＦｉ）での無線ローカルエリアネットワーク（ＷＬＡＮ）コンピュータ通信を実現するためのＩＥＥＥ８０２．１１規格、高レベルのセキュリティを備えるパーソナルエリアネットワーク（ＰＡＮ）を形成する固定および携帯機器から短距離において（２４００から２４８０ＭＨｚのＩＳＭ帯における短波無線伝送を用いて）データ交換するためのＢｌｕｅｔｏｏｔｈ規格、ならびにＬＴＥ（すなわち４Ｇ  ＬＴＥ）、ＵＭＴＳ／ＨＳＰＡ（すなわち３Ｇ）、ＧＳＭ（登録商標）／ＥＤＧＥ（すなわちＥｄｇｅ）、またはＣＤＭＡなどの様々な携帯電話ネットワーク技術規格を含む、様々な無線ネットワークプロトコルおよび／または規格を通じて、ネットワーク化されたビデオブリッジ装置２００が通信できるようにする、ネットワーク通信能力を提供する。加えて、ネットワークインターフェースモジュール３１６はまた、ＩＥＥＥ８０２．３（たとえばイーサネット（登録商標））などの有線ネットワーク通信能力も可能にする。
【００２５】
ＧＰＳモジュール３２０は、地球上のネットワーク化されたビデオブリッジ装置２００の位置を特定するために全地球測位システム宇宙衛星ナビゲーションシステムから信号を受信するようになっている、ＧＰＳ受信器を組み込んでいる。ＧＰＳモジュール３２０は、ＧＰＳナビゲーションソフトウェアプログラムを含んでもよい。ＧＰＳモジュール３２０は、ネットワーク化されたビデオブリッジ装置２００に記憶された画像データと一致する、そして拡張してもよい、位置データを提供することができる。一実施形態において、ＧＰＳモジュール３２０は、ネットワーク化されたビデオブリッジ装置２００に記憶された画像データと一致するように、低解像度位置データを提供してもよい。たとえば、ＧＰＳモジュール３２０は、第一公差内で装置２００の位置を予測するために配置されてもよい。第一公差は、たとえば装置２００の実際の位置から３〜４メートル以内であってもよい。
【００２６】
別の実施形態において、ＧＰＳモジュール３２０は、ネットワーク化されたビデオブリッジ装置２００に記憶された画像データと一致するように、高解像度位置データを提供してもよい。たとえばＧＰＳモジュール３２０は、第二公差内で装置２００の位置を予測するために配置されてもよい。第二公差は、たとえば装置２００の実際の位置から１〜２センチメートル以内であってもよい。
【００２７】
さらに別の実施形態において、ネットワーク化されたビデオブリッジ装置２００は、装置２００の実際の位置を予測するために、ＧＰＳモジュール３２０によって提供される位置を複数の処理済みデータと相互関連させてもよい。たとえば、ネットワーク化されたビデオブリッジ装置２００は、特定の時間における装置２００の予測位置に対応する、ＧＰＳモジュール３２０からの位置およびタイムスタンプを取得する。装置２００は、ネットワークインターフェースモジュール３１６から受信したデータを、位置およびタイムスタンプと相互関連させる。ネットワークインターフェースモジュール３１６から受信したデータは、タイムスタンプと同時に携帯電話会社によって補足される携帯ネットワークメタデータに対応する。ネットワークインターフェースモジュール３１６は、ＧＰＳモジュール３２０が位置およびタイムスタンプを提供した後に、携帯ネットワークメタデータを受信してもよい。ネットワーク化されたビデオブリッジ装置２００は、位置、タイムスタンプ、および携帯ネットワークメタデータに基づいて、タイムスタンプの時点での装置２００の実際の位置を予測する。
【００２８】
ネットワーク化されたビデオブリッジ装置２００は、データ入力モジュール３２４をさらに含む。データ入力モジュール３２４は、画像データ捕捉装置１０４またはその他の外部ソースからネットワーク化されたビデオブリッジ装置２００に、アナログおよび／またはデジタルのオーディオおよび／またはビデオデータを伝送するための、１つ以上のオーディオ／ビデオインターフェース接続を含む。例示的なオーディオ／ビデオインターフェース接続は、ＲＣＡ、Ｓ−Ｖｉｄｅｏ、およびＨＤＭＩ（登録商標）接続、またはその他いずれか周知のオーディオ／ビデオインターフェース接続を含む。加えて、ネットワーク化されたビデオブリッジ装置２００内にマイクロフォン入力部３２６が含まれてもよい。マイクロフォン入力部３２６はデータ入力モジュール３２４と通信して、ユーザがネットワーク化されたビデオブリッジ装置２００にオーディオデータを提供することを可能にする。
【００２９】
たとえば、ネットワーク化されたビデオブリッジ装置２００のユーザは、画像データがデータ入力モジュール３２４によって捕捉されているときに、画像データに音声注釈を加えるために、マイクロフォン入力部３２６に向かって発話してもよい。さらにユーザは、ネットワーク化されたビデオブリッジ装置２００上で先に捕捉された画像データを確認して、音声注釈を用いて先に捕捉された画像データを補足してもよい。別の例において、ユーザはネットワーク化されたビデオブリッジ装置２００を制御するために、マイクロフォン入力部３２６に向かって所定の音声コマンドを発話してもよい。
【００３０】
ネットワーク化されたビデオブリッジ装置２００は、所定の音声コマンドを認識するように、事前プログラミングされていてもよい。たとえば、ユーザは、音声認識機能に結合されたメニュー項目を選択することなどによって、ＵＩ３３２との物理的相互作用を通じて、ネットワーク化されたビデオブリッジ装置２００内の音声認識機能を開始してもよい。ユーザが音声認識機能を開始すると、ユーザはマイクロフォン入力部３２６に向かってあるフレーズを発話することができる。ネットワーク化されたビデオブリッジ装置２００は、話されたフレーズを所定フレーズのリストと比較する。各所定フレーズは、所定のコマンドまたはアクションに対応する。ネットワーク化されたビデオブリッジ装置２００が所定フレーズと相関する発話フレーズを決定すると、ネットワーク化されたビデオブリッジ装置２００は対応するコマンドまたはアクションを実行する。
【００３１】
別の例において、ユーザは所定の音声認識聞き取りフレーズを話すことによって、音声認識機能を開始してもよい。所定の音声認識聞き取りフレーズは、実行されるとネットワーク化されたビデオブリッジ装置２００内の音声認識機能を開始する、所定のコマンドに対応する。ネットワーク化されたビデオブリッジ装置２００が所定コマンドに対応する発話フレーズを決定すると、ネットワーク化されたビデオブリッジ装置２００は所定のコマンドを実行する。すると音声認識機能は、ユーザからの音声入力の受信を開始する。加えて、ユーザはオンとオフの間でマイクロフォン入力部３２６を手動で切り替えてもよい。たとえば、マイクロフォン入力部３２６は、ユーザがマイクロフォン入力部３２６をオンおよびオフに切り替えることができるようにする、マイクロフォンスイッチ（図示せず）を含んでもよい。
【００３２】
データ入力モジュール３２４は、その他の形態の入力もネットワーク化されたビデオブリッジ装置２００に伝えられるようにする。たとえば、二次ユーザインターフェース装置３３６は、ネットワークインターフェースモジュール３１６によって確立されたネットワーク接続を通じて、ネットワーク化されたビデオブリッジ装置２００に入力を提供することができる。このような二次ユーザインターフェース装置３３６は、たとえば無線キーボード、ＳＭＳ対応携帯電話、スマートフォン、またはラップトップコンピュータを含むことができる。このような二次ユーザインターフェース装置３３６からネットワーク化されたビデオブリッジ装置２００への入力は、画像データを拡張するため、および／またはネットワーク化されたビデオブリッジ装置２００の機能または動作を制御するために、使用され得る。
【００３３】
制御モジュール３０４は、データ入力モジュール３２４からデータを受信する。制御モジュール３０４は、データ記憶モジュール３１２にデータを一時的に記憶させてもよい。あるいは制御モジュール３０４は、データを処理してそのデータをネットワークインターフェースモジュール３１６に伝送してもよい。たとえば制御モジュール３０４は、データ入力モジュール３２４からビデオ画像データを受信してもよい。制御モジュール３０４は、ネットワークインターフェースモジュール３１６にビデオ画像データを伝送する前に、受信したビデオ画像データを適切なデータ形式にフォーマットしてもよい。ネットワークインターフェースモジュール３１６は、フォーマットされたビデオ画像データを遠隔画像データ記憶装置１１２に伝送してもよい。
【００３４】
ネットワークインターフェースモジュール３１６はまた、ネットワーク化されたビデオブリッジ装置２００が遠隔画像データ記憶モジュール３２８および／または二次ユーザインターフェース装置３３６の間でデータおよびコマンドを送受信できるようにすることも、可能である。この点に関して、ネットワークインターフェースモジュール３１６は、たとえばＢｌｕｅｔｏｏｔｈ、携帯電話、またはＷｉＦｉなどを通じて、ネットワーク化されたビデオブリッジ装置２００と、遠隔画像データ記憶装置１１２および二次ユーザインターフェース装置３３６のうちの１つまたは両方との間のネットワーク接続またはリンクを可能にすることができる。
【００３５】
別の実施形態において、ネットワークインターフェースモジュール３１６は、ネットワーク化されたビデオブリッジ装置２００が、ネットワークノード３４８およびホストされたサービスプロバイダ３５２とデータおよびコマンドを送受信できるようにしてもよい。ネットワークノード３４８は、ネットワーク化されたビデオブリッジ装置２００とデータを送受信するために配置された、遠隔配置コンピューティングサーバであってもよい。ホストされたサービスプロバイダ３５２は、ネットワークノード３４８と命令、コマンド、およびデータをやりとりするために配置された、第三者インターネット通信プロバイダあってもよい。そしてネットワークノード３４８は、ネットワークインターフェースモジュール３１６と命令、コマンド、およびデータをやりとりする。
【００３６】
次にＵＩ３３２は、遠隔画像データ記憶装置１１２または二次ユーザインターフェース装置３３６のいずれかを通じて、ネットワーク化されたビデオブリッジ装置２００へのアクセスおよびそのデータ、動作特徴、および機能（記録またはデータ伝送機能など）の制御を、可能にする。たとえばネットワーク化されたビデオブリッジ装置２００は、記録スイッチ３４０を含んでもよい。ＵＩ３３２は、装置２００のユーザがネットワーク化されたビデオブリッジ装置２００の記録機能をオンおよびオフに切り替えられるようにする。さらに、ネットワーク化されたビデオブリッジ装置２００はさらなる拡張および／または視聴のために、二次ユーザインターフェース装置３３６および遠隔画像データ記憶装置１１２に連続的または同時にデータを伝送することができる。
【００３７】
別の例において、ＵＩ３３２は、ネットワーク化されたビデオブリッジ装置２００のユーザが機内モードを有効化することができるようにする。ユーザはＵＩ３３２との物理的相互作用によって機内モードを選択してもよい。あるいはユーザは、機内モードを有効化するためのコマンドに対応する所定フレーズを発話してもよい。機内モードが有効化されると、ネットワークインターフェースモジュール３１６およびマイクロフォン入力部３２６が無効化される。したがって、マイクロフォン入力部３２６は入力の受信を停止し、ネットワークインターフェースモジュール３１６はデータの送受信を停止する。
【００３８】
リムーバブル記憶媒体インターフェースモジュール３２８は、メモリカードまたはＵＳＢフラッシュドライブのような電子フラッシュメモリデータ記憶装置など、様々な周知のリムーバブル記憶装置のいずれも収容することができる。電子フラッシュメモリおよびＵＳＢフラッシュ記憶装置のみが記載されているものの、リムーバブル記憶媒体インターフェースモジュール３２８はいずれのリムーバブル記憶媒体または装置を収容してもよいことは、理解される。
【００３９】
ネットワーク化されたビデオブリッジ装置２００は、電力を発生および／または装置に電力を供給する、統合電力モジュール３４４も含むことができる。装置２００に電力を供給するために、電池などの統合電源が電力モジュール３４４に含まれることが可能である。あるいは、または電池に加えて、電力モジュール３４４は、ネットワーク化されたビデオブリッジ装置２００が外部Ａ／Ｃ電源から電力を受け取ることを可能にする、Ａ／Ｃ電源アダプタを含むことができる。また、Ａ／Ｃ電源アダプタは、そのように備えられていれば、ネットワーク化されたビデオブリッジ装置２００への電力供給に加えて、電池を充電するようになっていてもよい。さらにＡ／Ｃ電源アダプタは、あるいはネットワーク化されたビデオブリッジ装置２００の外部にあってもよい。電力モジュール３４４は、ユーザがネットワーク化されたビデオブリッジ装置２００の電源のオンおよびオフを制御できるようにする、電源スイッチをさらに含むことができる。
【００４０】
あるいは電力モジュール３４４は、まだネットワーク化されたビデオブリッジ装置２００に電力を供給することが可能であるが、ネットワーク化されたビデオブリッジ装置２００の周辺の別の装置内に埋め込まれることも可能である。たとえば画像データ捕捉装置１０４は、画像データ捕捉装置１０４およびネットワーク化されたビデオブリッジ装置２００に電力を供給する電力モジュール３４４を組み込むことができる。別の代替例として、電力モジュール３４４は、たとえば表示装置などの別の周辺機器に組み込まれることも可能である。
【００４１】
図４を参照すると、ネットワーク化されたビデオブリッジ装置２００の代替模式的ブロック図が示されている。ネットワーク化されたビデオブリッジ装置２００のこの構成は、ネットワーク化されたビデオブリッジ装置２００内の画像データを視聴するための、統合表示モジュール２２８（図２に示す）をさらに含む。表示モジュール２２８は、グラフィックプロセッサ４０４、およびタッチスクリーン機能を特徴とする表示画面４０８を含む。するとＵＩ３３２は、表示画面２２８上でユーザによって視聴されたときに画像データ捕捉装置１０４から受信した画像の上に積層されるかまたはその中に埋め込まれることが可能な描画標識を用いて、ユーザが画像データを拡張できるようにする特徴を提供することができる。
【００４２】
さらに、ネットワーク化されたビデオブリッジ装置２００にはデータ出力モジュール４１２が含まれることが可能である。データ出力モジュール４１２は、画像データを視聴するための表示画面２２８など、外部装置に画像を出力するための直接接続を可能にする。
【００４３】
ネットワーク化されたビデオブリッジ装置２００のこの代替構成の別の特徴は、ネットワーク化されたビデオブリッジ装置２００からの画像データの送信（たとえば遠隔画像データ記憶装置１１２への画像データのアップロード）を選択的に制御するための、データ送信スイッチ４１６である。このデータ送信スイッチ４１６は、ユーザが装置２００からのデータ送信のオンおよびオフを切り替えられるようにする。この特徴は、たとえばネットワーク接続が最適値未満であるとき、および／または装置２００への電力が高すぎるときに、特に有用となり得る。
【００４４】
一実施形態において、図４に示されるネットワーク化されたビデオブリッジ装置２００の構成は、特に画像データ捕捉および処理に適合する汎用コンピュータの形態を取ることができる。たとえば、装置２００は直接的ＣＣＤカメラ入力４１６を組み込むことができ、カメラ４１６の制御を提供し、および／または画像データが拡張されて装置２００内でさらに処理されるようにする、ソフトウェアアプリケーション４２０を含むことができる。たとえば、ソフトウェアアプリケーション４２０は、カメラ制御および／または操作、動画編集、レポート作成、電子メール、請求などを含み、これらを提供することができる。先に論じられたように、ＵＩ３３２は、ユーザが機内モードを有効化できるようにしてもよい。機内モードは、カメラ４１６の無効化をさらに含んでもよい。カメラ４１６が無効化されると、カメラ４１６は画像データを捕捉しなくなる。
【００４５】
特に図５を参照すると、画像データ捕捉方法５００が５０４から開始する。５０８において、方法５００は生画像データを受信する。５１２において、方法５００は生画像データを記録および記憶する。５１６において、方法５００は生画像データを表示する。５２０において、方法５００はユーザ入力データを受信する。５２４において、方法５００はユーザ入力データに基づいて生画像データを拡張する。５２８において、方法５００は拡張画像データを遠隔画像データ記憶装置に伝送する。方法５００は５３２で終了する。
【００４６】
本明細書で使用される際に、「モジュール」という用語は、特定用途向け集積回路（ＡＳＩＣ）、および電子回路、組み合わせ論理回路、フィールドプログラマブルゲートアレイ（ＦＰＧＡ）、コードを実行するプロセッサ（共有、専用、グループ）、上記の機能を提供するその他適切なハードウェアコンポーネント、またはシステムオンチップ内などでの上記のいくつかまたはすべての組み合わせを意味してもよく、その一部であってもよく、またはそれらを含んでもよい。モジュールという用語は、プロセッサによって実行されるコードを記憶するメモリ（共有、専用、グループ）を含んでもよい。
【００４７】
上記実施形態の記述は、図解および説明を目的として提供された。これは包括的であるように、または本開示を限定するように、意図されるものではない。特定の実施形態の個々の要素または特徴は、一般的にこの特定の実施形態に限定されるものではないが、該当する場合には置き換え可能であり、特に図示または記載されていなくても、選択された実施形態において使用可能である。これらは多くのやり方で変形されてもよい。このような変形例は本開示からの逸脱とは見なされず、このような変更のすべては本開示の範囲内に含まれると見なされる。
【符号の説明】
【００４８】
１０４  画像データ捕捉装置
１０８  ネットワーク化されたビデオブリッジ装置
１１２  遠隔画像データ記憶装置
２００  ネットワーク化されたビデオブリッジ装置
２０４  筐体
２０８  電源スイッチ
２１２  ビデオ入力コネクタ
２１４  音声入力コネクタ
２１６  ユーザ作動スイッチ
２２０  ＵＳＢ入力接続部
２２４  標識
２２８  統合表示モジュール
３０４  制御モジュール
３０８  入出力（Ｉ／Ｏ）モジュール
３１２  データ記憶モジュール
３１６  ネットワークインターフェースモジュール
３２０  全地球測位システム（ＧＰＳ）モジュール
３２４  データ入力モジュール
３２６  マイクロフォン入力部
３２８  リムーバブル記憶媒体インターフェースモジュール
３３２  ユニバーサルユーザインターフェース（ＵＩ）
３３６  二次ユーザインターフェース装置
３４０  記録スイッチ
３４４  電力モジュール
３４８  ネットワークノード
３５２  ホストされたサービスプロバイダ
４０４  グラフィックプロセッサ
４０８  表示画面
４１２  データ出力モジュール
４１６  データ送信スイッチ、ＣＣＤカメラ入力
４２０  ソフトウェアアプリケーション
【図１】
2014033435.tif 000003
【図２】
2014033435.tif 000004
【図３】
2014033435.tif 000005
【図４】
2014033435.tif 000006
【図５】
2014033435.tif 000007
【外国語明細書】
2014033435000001.pdf